(57)【要約】【課題】ドレンパンを自動昇降させることができ、メンテナンス作業の効率を大幅に向上させることが可能な空調機を提供することである。【解決手段】空調機１０は、室内機本体１６と、室内機本体１６に固定される第１熱交換器１３と、室内機本体１６の下方を覆うドレンパン一体型化粧パネル１９と、を含む室内機１１を備え、室内機１１は、室内機本体１６からドレンパン一体型化粧パネル１９を吊り下げる吊り下げワイヤ２３と、吊り下げワイヤ２３の巻き上げ及び送り出しを行う昇降モータユニット２４と、を有する。また、室内機１１には、ドレンパン２０に捕集されたドレン水を検知するフロートスイッチ３０が設けられ、フロートスイッチ３０により検知されたドレン水が所定量以上である場合には、昇降モータユニット２４の作動を禁止又は制限する昇降制御装置が設けられる。【選択図】図２
2010038415.tif 000002
【特許請求の範囲】
【請求項１】
室内機本体と、室内機本体に固定される熱交換器と、熱交換器の下方を覆うドレンパンと、を含む室内機を備え、室内機本体が天井部に設置された空調機において、
室内機本体からドレンパンを吊り下げる吊り下げワイヤと、
吊り下げワイヤの巻き上げ及び送り出しを行う駆動アクチュエータと、
を有し、
駆動アクチュエータを作動させることにより、ドレンパンが自動昇降することを特徴とする空調機。
【請求項２】
室内機本体と、室内機本体に固定される熱交換器と、熱交換器の下方を覆うドレンパンと、室内機本体の下方を覆う化粧パネルと、を含む室内機を備え、室内機本体が天井部に設置された空調機において、
化粧パネルは、上面にドレンパンが設置されたドレンパン一体型化粧パネルであり、
室内機本体からドレンパン一体型化粧パネルを吊り下げる吊り下げワイヤと、
吊り下げワイヤの巻き上げ及び送り出しを行う駆動アクチュエータと、
を有し、
駆動アクチュエータが作動することにより、ドレンパン一体型化粧パネルが自動昇降することを特徴とする空調機。
【請求項３】
請求項２に記載の空調機において、
駆動アクチュエータは、室内機本体の外側上面部に設置され、
駆動アクチュエータに接続され、端部が室内機本体部分から延出し、駆動アクチュエータの作動により回転する駆動シャフトと、
駆動シャフトの端部に接続又は設置され、吊り下げワイヤの一端が固定されたワイヤドラムと、
を有し、
吊り下げワイヤの他端は、ドレンパン一体型化粧パネルの室内機本体部分から延出した縁部に固定され、
駆動アクチュエータが作動して、吊り下げワイヤがワイヤドラムに巻き取られる又はワイヤドラムから送り出されることにより、ドレンパン一体型化粧パネルが自動昇降することを特徴とする空調機。
【請求項４】
請求項１〜３のいずれか１に記載の空調機において、
室内機には、ドレンパンに捕集されたドレン水を検知するドレン水検知器が設けられ、
ドレン水検知器により所定量以上のドレン水量が検知された場合には、駆動アクチュエータの作動を制限することを特徴とする空調機。
【請求項５】
請求項４に記載の空調機において、
ドレンパンには、捕集したドレン水を排出する排出部が設けられ、
ドレン水検知器により所定量以上のドレン水量が検知された場合には、駆動アクチュエータの作動を禁止すると共に、
排出部を開放してドレン水量が所定量未満となった場合には、駆動アクチュエータの作動禁止状態が解除されることを特徴とする空調機。
【発明の詳細な説明】
【技術分野】
【０００１】
本発明は、空調機に係り、特に室内機本体、室内機本体に固定される熱交換器、熱交換器の下方を覆うドレンパン、及び室内機本体の下方を覆う化粧パネルを含む室内機を備え、室内機本体が天井部に設置された空調機に関する。
【背景技術】
【０００２】
オフィスなどで使用される比較的大型の空調機としては、室内機本体が天井部に設置された天井カセット式、天井埋め込み式、及び天井吊り下げ式の空調機がよく見受けられる。これら空調機は、通常、室内機及び室外機から構成され、双方に熱交換器が設けられる。冷房運転時には、この熱交換器を通過する空気中に含まれる水蒸気の凝縮による結露水（以下、ドレン水と称する）が発生するため、室内機には、ドレン水を捕集するためのドレンパンが熱交換器の下方を覆って設置される。
【０００３】
空調機は、室内機の動作確認（送風ファンや熱交換器等）、化粧パネル、ドレンパン、熱交換器等の清掃や交換などのメンテナンス作業が定期的に実施されるが、天井部に設置される空調機では、脚立等に上って行う高所作業が必要になる。このような高所作業は、脚立等から転落しないように極めて慎重に実施されるため、作業負荷が非常に大きく、長時間を要する。
【０００４】
一般的に使用されている天井カセット式の空調機（室内機）は、図６に示すような構成を有する。室内機は、天井板３５の開口部に室内機本体１６をはめ込んで設置され、室内機本体１６には、送風ファン１７や第１熱交換器１３（後述する室外機に設置される熱交換器を第２熱交換器とする）等が設置される。室内機本体１６の下方には、化粧パネル４０がビス止めされ、第１熱交換器１３の下方には、ドレンパン固定具４１、及びドレンパン固定具４１によって支持された室内機本体固定型ドレンパン４２（以下、ドレンパン４２とする）が設置される。例えば、ドレンパン４２や第１熱交換器１３の清掃を行う場合、作業者は、ビス止めされた化粧パネル４０を取り外し、さらに、ドレンパン固定具４１及びドレンパン４２を取り外す等の作業を脚立の上で実施しなければならない。このような状況に鑑みて、作業効率及び作業安全性の向上を目的とするシステムが幾つか考案されている。
【０００５】
例えば、特許文献１には、複数のユニット本体を天井内に埋設した天井埋め込み型空調機において、ワイヤレスリモコンと、リモコンからの信号を受信する受光部と、受光部及びリモコンに設けられた号機設定手段と、押圧可能とされてリモコンに設けられ、複数のユニット本体のうち号機設定手段によって設定されたユニット本体に備えられた吸い込みグリルが所定距離だけ降下して停止するようにすると共に、所定距離を複数段階設定可能にする降下距離設定手段とを備えたことを特徴とする天井埋め込み型空調機が開示されている。また、特許文献２〜５にも、特許文献１と同様に、化粧パネルの吸い込みグリルを昇降させるグリル昇降手段を備えた天井埋め込み型の空調機が開示されている。
【０００６】
【特許文献１】特開２００１−２１１７３号公報
【特許文献２】特開２０００−７４４５９号公報
【特許文献３】特開２００１−２１２０６号公報
【特許文献４】特開２００５−３３６４号公報
【特許文献５】特開２００７−２５５８８７号公報
【発明の開示】
【発明が解決しようとする課題】
【０００７】
特許文献１〜５に記載された天井埋め込み型空調機によれば、化粧パネルの吸い込みグリル（図６に示す２２）をリモコン操作等によって自動昇降させることができ、メンテナンス作業の負担軽減等を実現できるが、メンテナンス作業の簡便化及び迅速化のニーズを十分に満足するものではなく、未だ改良の余地がある。上記のように、室内機のメンテナンス作業には、ドレンパンの清掃やドレンパンを取り外して行う作業が存在し、そのような場合には、脚立等を使用した高所でのドレンパン取り外し（及び取り付け）作業が発生する。高所でのドレンパン取り外し等の作業には、通常、２人の作業者が必要であり、また、安全性を考慮して慎重に実施されるため長時間を要する。以上のように、従来技術によれば、メンテナンス作業の効率を十分に向上させることが困難である。
【０００８】
本発明の目的は、ドレンパンを自動昇降させることができ、メンテナンス作業の効率を大幅に向上させることが可能な空調機を提供することである。
【課題を解決するための手段】
【０００９】
本発明に係る空調機は、室内機本体と、室内機本体に固定される熱交換器と、熱交換器の下方を覆うドレンパンと、を含む室内機を備え、室内機本体が天井部に設置された空調機において、室内機本体からドレンパンを吊り下げる吊り下げワイヤと、吊り下げワイヤの巻き上げ及び送り出しを行う駆動アクチュエータと、を有し、駆動アクチュエータを作動させることにより、ドレンパンが自動昇降することを特徴とする。
【００１０】
また、室内機本体と、室内機本体に固定される熱交換器と、熱交換器の下方を覆うドレンパンと、室内機本体の下方を覆う化粧パネルと、を含む室内機を備え、室内機本体が天井部に設置された空調機において、化粧パネルは、上面にドレンパンが設置されたドレンパン一体型化粧パネルであり、室内機本体からドレンパン一体型化粧パネルを吊り下げる吊り下げワイヤと、吊り下げワイヤの巻き上げ及び送り出しを行う駆動アクチュエータと、を有し、駆動アクチュエータが作動することにより、ドレンパン一体型化粧パネルが自動昇降することが好ましい。
【００１１】
また、駆動アクチュエータは、室内機本体の外側上面部に設置され、駆動アクチュエータに接続され、端部が室内機本体部分から延出し、駆動アクチュエータの作動により回転する駆動シャフトと、駆動シャフトの端部に接続又は設置され、吊り下げワイヤの一端が固定されたワイヤドラムと、を有し、吊り下げワイヤの他端は、ドレンパン一体型化粧パネルの室内機本体部分から延出した縁部に固定され、駆動アクチュエータが作動して、吊り下げワイヤがワイヤドラムに巻き取られる又はワイヤドラムから送り出されることにより、ドレンパン一体型化粧パネルが自動昇降することが好ましい。
【００１２】
また、室内機には、ドレンパンに捕集されたドレン水を検知するドレン水検知器が設けられ、ドレン水検知器により所定量以上のドレン水量が検知された場合には、駆動アクチュエータの作動を制限することが好ましい。
【００１３】
また、ドレンパンには、捕集したドレン水を排出する排出部が設けられ、ドレン水検知器により所定量以上のドレン水量が検知された場合には、駆動アクチュエータの作動を禁止すると共に、排出部を開放してドレン水量が所定量未満となった場合には、駆動アクチュエータの作動禁止状態が解除されることが好ましい。
【発明の効果】
【００１４】
本発明に係る空調機によれば、室内機本体からドレンパンを吊り下げる吊り下げワイヤと、吊り下げワイヤの巻き上げ及び送り出しを行う駆動アクチュエータと、を有し、駆動アクチュエータを作動させることにより、ドレンパンが自動昇降するので、メンテナンス作業の効率を大幅に向上させることが可能になる。脚立等を使用した高所におけるドレンパンの取り外しや取り付け等の作業が不要となり、１人でメンテナンス作業を実施することができる。
【００１５】
また、上面にドレンパンが設置されたドレンパン一体型化粧パネルと、室内機本体からドレンパン一体型化粧パネルを吊り下げる吊り下げワイヤと、吊り下げワイヤの巻き上げ及び送り出しを行う駆動アクチュエータと、を有し、駆動アクチュエータが作動することにより、ドレンパン一体型化粧パネルが自動昇降する構成とすれば、化粧パネルを有する室内機においても、高所作業を無くす或いは低減することができ、簡便且つ迅速なメンテナンス作業を実現することが可能になる。また、ドレンパン及び化粧パネルを同時に昇降させることができるため、作業時間の大幅な短縮が可能になる。
【００１６】
さらに、駆動アクチュエータは、室内機本体の外側上面部に設置され、駆動アクチュエータに接続され、端部が室内機本体部分から延出し、駆動アクチュエータの作動により回転する駆動シャフトと、駆動シャフトの端部に接続又は設置され、吊り下げワイヤの一端が固定されたワイヤドラムと、を有し、吊り下げワイヤの他端は、ドレンパン一体型化粧パネルの室内機本体部分から延出した縁部に固定され、駆動アクチュエータが作動して、吊り下げワイヤがワイヤドラムに巻き取られる又はワイヤドラムから送り出される構成とすれば、駆動機構の設置が容易であり、メンテナンス性も良好になる。また、駆動機構は、例えば、熱交換器や送風ファンのメンテナンス作業時に邪魔になることがなく、小改良によって既設の空調機に取り付けることも可能になる。
【００１７】
また、室内機には、ドレンパンに捕集されたドレン水を検知するドレン水検知器が設けられ、ドレン水検知器により所定量以上のドレン水量が検知された場合には、駆動アクチュエータの作動を制限する構成とすれば、捕集されたドレン水をこぼすことなくドレンパンを降下させることができ、作業効率をさらに向上させることが可能になる。
【００１８】
さらに、ドレンパンには、捕集したドレン水を排出する排出部が設けられ、ドレン水検知器により所定量以上のドレン水量が検知された場合には、駆動アクチュエータの作動を禁止すると共に、排出部を開放してドレン水量が所定量未満となった場合には、駆動アクチュエータの作動禁止状態が解除される構成とすれば、ドレンパンの下降時に、捕集されたドレン水がこぼれることを確実に防止することができる。また、排出部を開放してドレン水を排出することにより、容易に駆動アクチュエータ（駆動機構）の作動禁止状態を解除することができる。
【発明を実施するための最良の形態】
【００１９】
図面を用いて本発明に係る実施の形態につき以下詳細に説明する。図１は、ドレンパン一体型化粧パネル及びドレンパン一体型化粧パネルの自動昇降機構を備える天井埋め込み型空調機を示す模式図であり、図２は、図１に示す天井埋め込み型空調機において、ドレンパン一体型化粧パネルを自動昇降させる様子を示す図である。図３は、ドレンパン一体型化粧パネルの上面図である。図４は、ドレンパン一体型化粧パネルの要部（水抜きコック２９及びフロートスイッチ３０が設けられた部分）拡大図である。
【００２０】
オフィスなどに使用される比較的大型の空調機は、天井部に設置されることが多く、例えば、天井部にはめ込んで設置される天井カセット式空調機は、工事が簡単でインテリア性にも優れることから広く使用されている。図１等では、この天井カセット式空調機を示しており、以下では、空調機は、天井カセット式空調機１０（以下、単に空調機１０とする）として説明する。なお、後述するドレンパン２０の昇降機構等は、天井埋め込み式や天井吊り下げ式の空調機についても適用することができる。また、以下では、空調機１０の運転状態は、冷房運転として説明する。
【００２１】
図１に示すように、空調機１０は、室内機１１及び室外機１２から構成される。室内機１１には、室外機１２から供給される液化冷媒を蒸発気化させる第１熱交換器１３が設けられ、室外機１２には、第１熱交換器１３で気化された冷媒を圧縮する図示しない圧縮機、圧縮された気化冷媒を凝縮液化する第２熱交換器１４、液化冷媒を膨張させて冷却する図示しない膨張弁が設置され、それらの機器が冷媒配管１５で接続されている。
【００２２】
室内機１１には、外形を形成するハウジング（箱体）であって天井板３５の開口部にはめ込まれて設置される室内機本体１６を備える。室内機本体１６には、送風ファン１７、送風ファン１７を回転駆動させる送風ファンモータ１８、上記の第１熱交換器１３が設置される。送風ファン１７は、第１熱交換器１３の内側に設置される遠心ファンであり、吸い上げた室内の空気を、周囲の第１熱交換器１３に送り出す機能を有する。冷却された第１熱交換器１３を通過した空気は、冷却されて後述するドレンパン一体型化粧パネル１９の吹出口２１から室内に供給される。
【００２３】
室内機１１は、室内機本体１６の下方を覆うドレンパン一体型化粧パネル１９を備える。化粧パネルは、室内機本体１６に設置される送風ファン１７や第１熱交換器１３等をカバーして室内側から見えないように遮蔽する機能を有する。ドレンパン一体型化粧パネル１９は、その隠蔽機能に加えて、パネル基材（以下、ドレンパン一体型化粧パネル１９において外形を形成する基材をパネル基材と称する）の上面にドレンパン２０を結合一体化することによりドレンパン２０の機能も有する。なお、ドレンパン一体型化粧パネル１９は、室内機本体１６の下方を完全に覆う大きさ（面積）を有することが好ましく、室内機本体１６下面部（箱体の開口部）のサイズよりも大きくなるように設定される。
【００２４】
パネル基材の上面に設けられるドレンパン２０は、冷却された第１熱交換器１３を通過する空気中に含まれる水蒸気の凝縮による結露水（ドレン水）を捕集する機能を有する部材である。従って、ドレンパン２０は、パネルの上面であって、ドレン水を捕集するために、第１熱交換器１３の下方をカバーする位置に設置される。パネル基材上面へのドレンパン２０の設置方法としては、ドレンパン２０の位置が、第１熱交換器１３の下方をカバーする位置からずれることなく設置できる限り、特に限定されることなく、例えば、両面テープ、接着剤、ビス等によって固定する、或いはパネルと一体成形する等の方法によって設置（一体化）することができる。このように、ドレンパン及び化粧パネルを一体化することにより、後述する昇降機構によって、両者を同時に昇降させることができるため、作業時間の大幅な短縮が可能になる。
【００２５】
ドレンパン一体型化粧パネル１９には、通常の化粧パネル（図６の化粧パネル４０を参照）と同様に、第１熱交換器１３により冷却された冷風を室内に吹出すための吹出口２１、吸気口である吸い込みグリル２２が設けられる。なお、吹出口２１には、風向を調整するための風向調整板を設置することができ、吸い込みグリル２２には、塵埃を捕捉するためのフィルタを設置することができる。
【００２６】
ドレンパン２０は、上記のように、ドレン水を捕集する機能を有するため、周囲に上方に突出した壁部を有する形状を呈している。また、ドレンパン２０は、各種プラスチック、発泡スチロール等の発泡プラスチック、ステンレス等の金属などから構成できるが、軽量化等の観点から発泡スチロール等の発泡プラスチックから構成されることが好ましい。なお、パネル基材のドレンパン２０が設置される部分には、金属や強度の高いプラスチック等からなる補強板や補強フレームを設けることができる。
【００２７】
ドレンパン２０に捕集されたドレン水は、図示しないドレン配管の傾斜を利用して自然排水される、又は図示しないドレンポンプにより強制的にドレン水を吸い上げてドレン配管を通じて排水される。空調機１０においては、ドレンパン２０の自動昇降を行い易くするために、後者のドレンポンプを使用した排水方法を適用することが好ましく、例えば、ドレンポンプを室内機本体１６に設置し、ドレン配管がドレンパン２０の上方から挿入された形態とすることができる。ドレンポンプは、定期的に作動させる、或いはフロートスイッチが所定水量を検知することと連動して作動させることができる。なお、フロートスイッチとしては、後述する室内機本体１６に固定された昇降制御用のフロートスイッチ、又は別のフロートスイッチを使用することができる。
【００２８】
空調機１０は、室内機１１に設けられたドレンパン一体型化粧パネル１９の自動昇降機構を備えることを特徴とする。室内機１１は、室内機本体１６からドレンパン一体型化粧パネル１９を吊り下げる吊り下げワイヤ２３と、吊り下げワイヤ２３の巻き上げ及び送り出しを行う駆動アクチュエータとして昇降モータユニット２４と、を備える。吊り下げワイヤ２３は、一端がドレンパン一体型化粧パネル１９の上面部、具体的には、室内機本体１６部分から延出した縁部に設置され、他端が後述するワイヤドラム２７に固定される。昇降モータユニット２４は、電動モータ及び歯車等の駆動系を有する駆動装置であり、図１に示すように、室内機本体１６の外側上面部に設置することができる。ここで、室内機本体１１の外側上面部とは、室内機本体１６が天井部に設置された状態で、上方を向く外側の面を意味する。なお、内側上面部には、送風ファンモータ１８等が設置される。
【００２９】
電動モータの回転軸に直接又は駆動系を介して連結され、昇降モータユニット２４の両側から延出したシャフト２５には、その両端に２つの駆動歯車２６が設置される。昇降モータユニット２４（電動モータ）を作動させることにより、シャフト２５及び駆動歯車２６が回転し、室内機本体１６の外部側面部に設置された２つのワイヤドラム２７を、受動歯車２８を介して回転させる。受動歯車２８は、ワイヤドラム２７と結合されており、受動歯車２８は、駆動歯車２６と嵌合しているため、駆動歯車２６の回転力、即ち、昇降モータユニット２４の動力を、吊り下げワイヤ２３の一端が固定されたワイヤドラム２７に伝達することができる。従って、昇降モータユニット２４を作動させることによって、ワイヤドラム２７から吊り下げワイヤ２３が送り出され、図２に示すように、ドレンパン一体型化粧パネル１９を下降させることができる。
【００３０】
上述及び図１に示すように、自動昇降機構の駆動アクチュエータである昇降モータユニット２４は、室内機本体１６の外側上面部に設置され、昇降モータユニット２４に接続されたシャフト２５は、その両端部が室内機本体１６部分から延出し、シャフト２５の両端部に設置された駆動歯車２６等を介してワイヤドラム２７に接続されている。このような構成とすれば、昇降モータユニット２４及びワイヤドラム２７等を含む自動昇降機構の設置が容易であり、自動昇降機構及び室内機本体１６内部のメンテナンス作業性も良好なものとなる。
【００３１】
なお、昇降モータユニット２４からワイヤドラム２７への動力伝達機構（駆動系）は、駆動歯車２６及び受動歯車２８を使用する機構に限られず、種々の形態を適用することができる。例えば、チェーン及びスプロケット、プーリ及びベルトを使用した動力伝達機構とすることもでき、また、シャフト２５の両端に直接ワイヤドラム２７を設置することもできる。
【００３２】
一端がワイヤドラム２７に固定された吊り下げワイヤ２３は、ドレンパン一体型化粧パネル１９の縁部、具体的には、室内機本体１６の幅からはみ出た外側の部分に連結される。図１等に示すように、ドレンパン一体型化粧パネル１９を水平に安定して昇降させるために、正方形状パネルの対向する辺に沿った縁部に、それぞれ吊り下げワイヤ２３の他端が固定されることが好ましく、パネルの四隅に近い位置に４つの固定箇所を有することがさらに好ましい。ドレンパン一体型化粧パネル１９の四隅（四隅に近接する位置）に、吊り下げワイヤ２３の固定箇所を４つ有する構成としては、４本の吊り下げワイヤ２３及び４つのワイヤドラム２７を使用する構成、２つのワイヤドラム２７及び中途部から分岐する２本の吊り下げワイヤ２３（分岐部以下では４本）を使用する構成等が挙げられる。なお、部品点数の削減によるコストダウンやメンテナンスの簡便化等の観点から、後者の構成を適用することが好ましい。
【００３３】
昇降モータユニット２４は、例えば、メンテナンス作業者が昇降ボタン（作動スイッチ）を押すことにより作動させることができる。そのような昇降ボタンを、昇降モータユニット２４と有線接続されたコントローラ等に設けた構成とすることができる。また、図２に示すように、昇降操作リモコン３１、及び受光部３２を備える構成とすることもできる。昇降操作リモコン３１に設けられた昇降ボタンをＯＮ操作することにより、昇降操作リモコン３１から赤外線等の信号光が発信され、その信号光を受光する受光部３２を、室内機本体１６に設置することができる。なお、ドレンパン一体型化粧パネル１９には信号光を透過するための受光窓３３を形成しておくことが好ましい。受光窓３３は、パネル基材に形成された開口部であり、開口した状態のまま、即ち単なる孔とすることもできるが、冷風の吹出を防止するために透明性の高いプラスチック板等を設置することが好ましい。
【００３４】
ドレンパン一体型化粧パネル１９の下降幅は、作業性の向上や室内機１１の設置条件等を考慮して決定することができ、吊り下げワイヤ２３の長さを調整する、昇降モータユニット２４の駆動時間を手動で設定する（例えば、昇降ボタンを押圧している間のみ昇降モータユニット２４が作動する）、或いは予め下降幅を設定する（例えば、昇降ボタンを一旦操作すると所定の位置に到達するまで昇降モータユニット２４が作動する）等によって任意に変更することが可能である。
【００３５】
図３に示すように、パネル基材の上面に設置されたドレンパン２０は、第１熱交換器１３の下方を全てカバーするように、吸い込みグリル２２の周囲に設置されている。ドレンパン２０の外側には、吹出口２１が四方に設置され、受光部３２の下方に位置する部分には、受光窓３３が形成されている。
【００３６】
図３及び図４に示すように、ドレンパン２０の一部には、ドレン水を排出するための排出部としてコック付き水抜き孔２９（以下、水抜きコック２９とする）、及びドレン水検知器としてフロートスイッチ３０が設置される。フロートスイッチ３０は、固定具３６等によって室内機本体１６に固定され、ドレンパン２０上に検知部（フロート部）が挿入される。ドレン水検知器（フロートスイッチ３０）としては、ドレン水量を検知することができれば、種々のフロートスイッチ３０を使用することができる。また、フロートスイッチ３０を複数設けて複数のドレン水量検知基準を設定する、或いは、単一のフロートスイッチ３０を使用して複数のドレン水量検知基準を設定する（複数の水量が検知可能なフロートスイッチを使用する）こともできる。
【００３７】
水抜きコック２９は、後述する昇降制御装置によって、昇降モータユニット２４の駆動が禁止される場合などに、ドレン水を排出するために設置される。即ち、昇降モータユニット２４の駆動が禁止される場合においては、駆動禁止状態の解除手段として使用される。なお、ドレンパン一体型化粧パネル１９には、水抜きコック２９を開閉するために、水抜きコック操作口３４が設けられる。水抜きコック操作口３４には、水抜きコック２９等を隠蔽するための蓋部が設置されることが好ましい。
【００３８】
室内機１１には、上記のように、ドレンパン２０に捕集されたドレン水を検知するドレン水検知器が設けられ、ドレン水検知器により検知されたドレン水が所定量以上である場合には、昇降機構（昇降モータユニット２４）の作動を禁止又は制限する機能を有する図示しない昇降制御装置を備えることが好ましい。昇降制御装置は、ＣＰＵと、制御パラメータ等の入力に用いられる入力装置と、制御パラメータ（例えば、制御を実行するドレン水量の基準など）や制御プログラム（例えば、図５に示す制御手順を規定した制御プログラム）などを記憶する記録装置と、入出力ポートなどを備える装置であって、コンピュータによって構成することができる。昇降制御の機能は、ソフトウェアを実行することで実現でき、具体的には、記憶装置に記憶された制御プログラムを実行することにより実現できる。なお、昇降制御装置は、室内機本体１６に設置することができる。
【００３９】
昇降制御装置は、例えば、上記の昇降操作リモコン３１の操作時に、フロートスイッチ３０によって所定のドレン水が捕集されていることが検知された場合には、昇降モータユニット２４の駆動を禁止する制御を実行することができる。ここで、駆動を禁止する基準となる所定のドレン水量としては、ドレンパン一体型化粧パネル１９を下降させた場合に、ドレン水が下降時の振動によってこぼれるか否かを考慮して設定することが好ましい。
【００４０】
また、例えば、昇降モータユニット２４の駆動速度を低速化する等、昇降モータユニット２４の駆動を制限する制御を実行することもできる。例えば、上述のように、ドレン水量検知基準を複数設けて、その水量に応じて、昇降モータユニット２４の駆動速度を変更する、或いは駆動を禁止することができる。
【００４１】
なお、上述のように、昇降制御装置が昇降モータユニット２４の駆動を禁止する制御設定を有する場合には、ドレン水を排出するための水抜きコック２９を駆動禁止状態の解除手段として設けることが好ましい。水抜きコック２９を開放してドレン水量が所定量未満となった場合には、フロートスイッチ３０により所定量以上のドレン水量は検知されず、即ち、駆動禁止制御のトリガーであるフロートスイッチ３０の検知信号がOFFになり、昇降モータユニット２４の作動禁止状態が解除される。
【００４２】
上記構成の空調機１０（昇降操作リモコン３１により昇降操作可能な構成とする）の動作（作用）について、ドレンパン２０の清掃メンテナンスを例に挙げて、図５を加えて詳細に説明する。図５は、ドレンパン一体型化粧パネル１９の自動降下手順及び昇降制御装置による降下制御の手順を示すフローチャートである。
【００４３】
まず、メンテナンス作業者は、昇降操作リモコン３１に設けられたドレンパン一体型化粧パネル１９の昇降ボタンをＯＮ操作する（Ｓ１０）。昇降ボタンをＯＮ操作によって、後述するように、ドレンパン２０に捕集されたドレン水が所定量以上存在する等の事情がない限り、昇降モータユニット２４が作動して、ドレンパン一体型化粧パネル１９の下降が開始される。
【００４４】
作業者は、ドレンパン一体型化粧パネル１９の下降が開始された否かを確認する（Ｓ１１）。ドレンパン一体型化粧パネル１９の下降は、昇降ボタンをＯＮ操作すると、自動的に所定の位置で下降がストップする設定、或いは押し続けているときにのみ下降する設定とすることもできる。
【００４５】
ドレンパン一体型化粧パネル１９の下降が開始されない場合（Ｓ１１でＮＯの場合）には、フロートスイッチ３０により所定量以上のドレン水がドレンパン２０上に存在することが確認され、フロートスイッチ３０から検知信号が昇降制御装置に送信されて、昇降制御装置の機能により、昇降モータユニット２４の作動が禁止される。なお、上述のように、昇降制御装置は、昇降モータユニット２４の作動を制限する制御設定を有することもできる。
【００４６】
昇降モータユニット２４の作動が禁止された場合には、昇降モータユニット２４の水抜きコック操作口３４から水抜きコック２９を開き、ドレン水を排出する（Ｓ１２）。水抜きコック２９から、ドレン水を排出することにより、駆動禁止制御のトリガーであるフロートスイッチ３０の検知信号がＯＦＦとなり、昇降モータユニット２４の作動禁止状態が解除される。
【００４７】
再度、作業者は、昇降操作リモコン３１に設けられたドレンパン一体型化粧パネル１９の昇降ボタンをＯＮ操作する（Ｓ１３）ことにより、昇降モータユニット２４が作動して、ドレンパン一体型化粧パネル１９を所定の位置まで降下させることができる（Ｓ１４）。
【００４８】
なお、作業者は、ドレンパン２０の清掃メンテナンス終了後、再度、昇降ボタンをＯＮ操作する等により、昇降モータユニット２４を作動させ、ドレンパン一体型化粧パネル１９を上昇させて設置状態を容易に復旧することができる。
【００４９】
以上のように、空調機１０は、室内機１１に、上面にドレンパン２０が結合されたドレンパン一体型化粧パネル１９、室内機本体１６からドレンパン一体型化粧パネル１９を吊り下げる吊り下げワイヤ２３、及び吊り下げワイヤ２３の巻き上げ及び送り出しを行う昇降モータユニット２４、を備えるので、ドレンパン２０を含むドレンパン一体型化粧パネル１９が自動昇降することにより、メンテナンス作業の効率を大幅に向上させることが可能になる。脚立等を使用した高所におけるドレンパンの取り外しや取り付け等の作業が不要となり、１人でメンテナンス作業を実施することができる。また、ドレンパン２０の清掃作業のみを実施する場合には、高所作業を無くすことができ、作業効率が向上するだけでなく、安全性向上の観点からも好ましい。
【００５０】
また、室内機１１は、フロートスイッチ３０が、予め設定されたドレン水量、即ち、下降操作時の振動によってこぼれるおそれがあるドレン水量を検知した場合には、昇降モータユニット２４の作動を禁止又は制限する昇降制御装置を備えるので、昇降時に捕集されたドレン水がこぼれることなく、作業効率をさらに向上させることが可能になる。
【００５１】
なお、上記においては、ドレンパン２０がパネル基材の上面に設置されたドレンパン一体型化粧パネル１９が昇降モータユニット２４により昇降するものとして説明したが、ドレンパン２０に吊り下げワイヤ２３の一端が固定され、ドレンパン２０のみを昇降させる構成とすることもできる。その場合、化粧パネルを設置しない、或いは化粧パネルは手動で取り外す等の構成を適用できる。
【図面の簡単な説明】
【００５２】
【図１】ドレンパン一体型化粧パネル及びドレンパン一体型化粧パネルの自動昇降機構を備える天井カセット式空調機を示す模式図である。（受光部は省略）
【図２】図１に示す天井カセット式空調機において、ドレンパン一体型化粧パネルを自動昇降させる様子を示す図である。（室外機は省略）
【図３】ドレンパン一体型化粧パネルの上面図である。
【図４】ドレンパン一体型化粧パネルの要部拡大図である。
【図５】ドレンパン一体型化粧パネルの自動降下手順及び昇降制御装置による降下制御の手順を示すフローチャートである。
【図６】ドレンパンが室内機本体に固定された従来の天井カセット式空調機（室内機）の断面を示す模式図である。
【符号の説明】
【００５３】
１０  天井埋め込み型空調機、１１  室内機、１２  室外機、１３  第１熱交換器、１４  第２熱交換器、１５  冷媒配管、１６  室内機本体、１７  送風ファン、１８  ファンモータ、１９  ドレンパン一体型化粧パネル、２０  ドレンパン、２１  吹出口、２２吸い込みグリル、２３  吊り下げワイヤ、２４  昇降モータユニット、２５  シャフト、２６  駆動歯車、２７  ワイヤドラム、２８  受動歯車、２９  コック付き水抜き孔（水抜きコック）、３０  フロートスイッチ、３１  昇降操作リモコン、３２  受光部、３３  受光窓、３４  水抜きコック操作口、３５  天井板、３６  固定具、４０  化粧パネル、４１  ドレンパン固定具、４２  室内機本体固定型ドレンパン。
【図１】
2010038415.tif 000003
【図２】
2010038415.tif 000004
【図３】
2010038415.tif 000005
【図４】
2010038415.tif 000006
【図５】
2010038415.tif 000007
【図６】
2010038415.tif 000008